(57)【要約】【課題】ハーフレートによる通信中に、ハンドオーバーやチャネル切断といった通信の接続不良が発生することがなく、安定した通信を維持しつつ、ハーフレートによる通信により内蔵電池の動作時間を延長させることのできる移動通信端末装置を提供する。【解決手段】符号化部１３ａにおいて選択される符号化レートを設定する制御部１５は、通信品質検出部２３により受信信号の通信品質を監視し、ユーザがハーフレートを選択指示している場合でも（ステップＳ１４：通信エリア拡大モード,ステップＳ１４：使用時間優先モード）、通信品質検出部２３により検出された通信品質が基準レベル未満の時には（ステップＳ１５：Ｎｏ,ステップＳ１６：Ｎｏ）、符号化部１３ａにおける符号化レートをフルレートに切り替える。また、通信中に電池残量が所定残量より少なくなった場合には（ステップＳ２１：Ｙｅｓ）、通信品質が所定品質より高ければ（ステップＳ２２：Ｙｅｓ）、ハーフレートに設定する。【選択図】図２
2009088590.tif 000002
【特許請求の範囲】
【請求項１】
入力された信号をハーフレート又はフルレートの何れかの符号化レートによって符号化する符号化部と、
通信品質を監視する通信品質検出部と、
前記通信品質が所定品質より低い場合に前記符号化レートをフルレートに設定する制御部と、を有することを特徴とする移動通信端末装置。
【請求項２】
電池残量を監視する電池残量検出部を備え、
前記制御部は、前記通信品質が所定品質より高く、かつ通信中に前記電池残量が所定残量より少なくなった場合には前記符号化レートをハーフレートに設定することを特徴とする請求項１に記載の移動通信端末装置。
【請求項３】
符号化レートを選択指示する操作部と、
当該移動端末装置の状態を表示する表示部と、を備え、
前記制御部は、
前記操作部によって、前記符号化部を前記フルレートで動作させる通信品質優先モードが選択され、かつ前記通信品質が所定品質より高い場合に前記ハーフレートの選択を促す表示を前記表示部を介して行うことを特徴とする請求項１または２に記載の移動通信端末装置。
【請求項４】
ハーフレート又はフルレートの何れかの符号化レートを選択して、入力された信号を何れかの符号化レートによって符号化し、基地局装置と通信する移動通信端末装置の符号化レート設定方法であって、
通信品質が所定品質より高いか否かを判断するステップと、
前記通信品質が所定品質より低い場合に前記符号化レートをフルレートに設定するステップと、を有することを特徴とする移動通信端末装置の符号化レート設定方法。
【請求項５】
電池残量が所定残量より少ないか否かを判断するステップと、
前記通信品質が所定品質より高く、かつ通信中に前記電池残量が所定残量より少なくなった場合に前記符号化レートをハーフレートに設定するステップと、を有することを特徴とする請求項４に記載の移動通信端末装置の符号化レート設定方法。
【請求項６】
前記フルレートで動作させる通信品質優先モードが選択され、かつ前記通信品質が所定品質より高い場合に前記ハーフレートの選択を促す表示を行うステップを有することを特徴とする請求項４または５に記載の移動通信端末装置の符号化レート設定方法。
【発明の詳細な説明】
【技術分野】
【０００１】
本発明は、適正な符号化レートを選択することにより、端末装置における消費電力を抑えることができる移動通信端末装置及び移動通信端末装置における符号化レート設定方法に関する。
【背景技術】
【０００２】
携帯電話機やＰＨＳ等のＦＤＭＡ方式やＴＤＭＡ方式を用いた移動通信端末装置においては、入力された音声信号を符号化する際に符号化レートを低くし、通信に必要な周波数大域幅または時間軸上の通信スロット数を減らすことで送受信や変復調に必要となるエネルギーを削減することが出来る。こうすることにより、端末装置における消費電力を抑えることができ、端末に内蔵された電池の動作時間を延長することができることが知られている。その反面、周波数大域幅またはスロット数を削減すると電波伝搬環境が変動する影響を受けやすくなり、通信品質が低下することも知られている。
一方、１つの移動端末が使用可能な周波数大域幅又は時間軸上の通信スロット数を最大限に用いた通信レート（フルレート）と、使用する周波数大域幅又は通信スロットを半分用いた通信レート（ハーフレート）とを切り替えて用いる通信システムがある。
【０００３】
特許文献１には、入力された音声信号を符号化する際に符号化レートをハーフレート又はフルレートに選択可能な符号化部と、ユーザが符号化レートを選択指示することが可能なキー操作部と、キー操作部で指示された符号化レートを検知して符号化部において選択される符号化レートを設定する制御部と、電池の残電力を監視するとともに電池の残電力に応じて符号化レートを選択する電池監視部を備えた構成を有する移動通信端末装置が提案されている。電池監視部により当該端末装置内の電池残量を監視し、電池残量が基準レベル未満に低下したとき、あるいはユーザがキー操作部でハーフレートを選択指示したときには、符号化部における符号化レートをハーフレートに設定して、端末に内蔵された電池の動作時間を延長させるよう構成されている。
【０００４】
【特許文献１】特開２０００−２４４３８４号公報
【発明の開示】
【発明が解決しようとする課題】
【０００５】
ところが、従来の移動通信端末装置では、符号化レートを切り替える条件として、通信品質の影響が考慮されていないため、ハーフレートが選択された時に、通信品質の低下による受信信号強度（ＲＳＳＩ）の低下を原因としたハンドオーバー、あるいは、誤り検索用ビット（ＣＲＣ）のエラーやフレーム誤り率（ＦＥＲ）の増大を原因としたチャネル切断といった通信の接続不良が頻発する場合がある。接続不良が頻発すると、安定した通信ができなくなるばかりか、内蔵の電池への負担が増え、当初の目的である電池の動作時間の延長さえも損なわれてしまう虞がある。
【０００６】
本発明は上記課題を解決するためになされたものであって、ハーフレートによる通信中に、ハンドオーバーやチャネル切断といった通信の接続不良が発生することがなく、安定した通信を維持しかつハーフレートによる通信により端末装置における消費電力を抑えることのできる移動通信端末装置及び移動通信端末装置における符号化レート設定方法を提供することを目的とする。
【課題を解決するための手段】
【０００７】
上記課題を解決することのできる本発明の移動端末装置は、入力された信号をハーフレート又はフルレートの何れかの符号化レートによって符号化する符号化部と、
通信品質を監視する通信品質検出部と、
前記通信品質が所定品質より低い場合に前記符号化レートをフルレートに設定する制御部と、を有することを特徴とする。
【０００８】
また、上記課題を解決することのできる本発明は、ハーフレート又はフルレートの何れかの符号化レートを選択して、入力された信号を何れかの符号化レートによって符号化し、基地局装置と通信する移動通信端末装置の符号化レート設定方法であって、
通信品質が所定品質より高いか否かを判断するステップと、
前記通信品質が所定品質より低い場合に前記符号化レートをフルレートに設定するステップと、を有することを特徴とする。
【０００９】
上記構成によれば、通信品質を監視しており、通信品質が所定品質より低い場合にフルレートに設定する。つまり、ハンドオーバーやチャネル切断といった通信の接続不良を招く原因となる通信品質の低下時には、ハーフレートに選択されていても、フルレートに切り替えて通信を継続することができる。このため、ハーフレートによる通信中に、通信品質の低下によってハンドオーバーやチャネル切断といった通信の接続不良が発生することを防止することができる。
【００１０】
また、本発明の移動通信端末装置は、電池残量を監視する電池残量検出部を備え、
前記制御部は、前記通信品質が所定品質より高く、かつ通信中に前記電池残量が所定残量より少なくなった場合には前記符号化レートをハーフレートに設定することを特徴とする。
【００１１】
また、本発明の移動通信端末装置の符号化レート設定方法は、電池残量が所定残量より少ないか否かを判断するステップと、
前記通信品質が所定品質より高く、かつ通信中に前記電池残量が所定残量より少なくなった場合に前記符号化レートをハーフレートに設定するステップと、を有することを特徴とする。
【００１２】
上記構成によれば、通信品質の監視に加えて電池残量も監視しており、通信品質が所定品質より高く、かつ通信中に電池残量が所定残量より少なくなった場合にはハーフレートに設定する。このため、通信品質が高い場合でも通信中に電池残量が減った場合には、ハーフレートに切り替えることができるので、通信品質に良し悪しによって符号化レートが固定化されることがない。したがって、安定した通信を維持しつつ、ハーフレートによる通信を適宜実施することにより移動通信端末装置における消費電力を抑えて、内蔵された電池の動作時間を延長させることができる。
【００１３】
また、本発明の移動通信端末装置は、符号化レートを選択指示する操作部と、
当該移動端末装置の状態を表示する表示部と、を備え、
前記制御部は、
前記操作部によって、前記符号化部を前記フルレートで動作させる通信品質優先モードが選択され、かつ前記通信品質が所定品質より高い場合に前記ハーフレートの選択を促す表示を前記表示部を介して行うことを特徴とする。
【００１４】
また、本発明の移動通信端末装置の符号化レート設定方法は、前記フルレートで動作させる通信品質優先モードが選択され、かつ前記通信品質が所定品質より高い場合に前記ハーフレートの選択を促す表示を行うステップを有することを特徴とする。
【００１５】
上記構成によれば、フルレートを選択指示している場合でも、通信品質が高いときには、ハーフレートの選択が望ましいことを通知して、ハーフレートの選択を促す。このため、ユーザがハーフレートを選択指示する機会が増え、結果的に、ハーフレートによる通信時間の比率を増大させて、通信時の省電力化、内蔵電池の動作時間の延長を促進することができる。
【発明を実施するための最良の形態】
【００１６】
以下、本発明に係る移動通信端末装置の好適な実施の形態について、図面を参照して詳細に説明する。
図１は本発明に係る移動通信端末装置の一実施形態の概略構成を示すブロック図、図２は図１に示した移動通信端末装置において実施される符号化レート設定方法を示すフローチャートである。
【００１７】
本実施形態の移動通信端末装置１は、例えばＰＨＳ端末として使用されるもので、ダイヤル番号その他の入力操作を行うために複数の入力キーが配列されたキー操作部３と、該装置の動作状態やキー操作部３からの入力情報等の表示を行う平面型表示パネルによる表示部５と、通信処理時に音声入力を行う入力部（マイク）７と、通信処理時に受信音声の出力を行う出力部（スピーカ）９と、符号化されたデータの送受信を行う無線部１１と、入力部７から入力された音声信号を符号化して無線部１１に送る符号化部１３ａと無線部１１が受信したデータを復号して出力部９に送る復号部１３ｂとを備えた符号化・復号部１３と、符号化・復号部１３の動作を制御する制御部１５とを備えている。
【００１８】
キー操作部３には、ユーザが符号化レートを選択指示することが可能なレート切替キーが備えられている。
本実施の形態の場合、レート切替キーは、実際には、当該端末装置における動作モードを選択するキーで、通信品質優先モード、使用時間優先モード、使用エリア拡大モードの３つのモードのいずれかを選択することができ、いずれも選択しない場合には、自動切り換えモードに設定される。
【００１９】
各動作モードと符号化レートとの対応は、次のようになっている。
通信品質優先モードは、符号化レートをフルレートとして、高サンプリングの音声符号化処理によって高い通信品質での通信を実現するモードである。
使用時間優先モードは、符号化レートをハーフレートとして、サンプリング数を半分に落とし、低い送信パワーで送信することで、消費電力を下げ、内蔵電池の動作時間（使用時間）の延長を図るモードである。
使用エリア拡大モードは、符号化レートをハーフレートとして、サンプリング数を半分に落とすが、送信パワーを上げて送信することで、基地局との間の通信距離を伸ばして、使用エリアの拡大を図るモードである。
【００２０】
つまり、使用時間優先モード及び使用エリア拡大モードは符号化レートをハーフレートに指定するものであり、通信品質優先モードは符号化レートをフルレートに指定するものである。
【００２１】
符号化部１３ａは、入力された音声信号を符号化する際に、符号化レートをハーフレート又はフルレートに選択可能なように、それぞれのレートに対応した符号化器が装備されている。
【００２２】
制御部１５は、ユーザがキー操作部３で指示した符号化レートを検知して符号化部１３ａにおいて選択される符号化レートを設定する。
具体的には、制御部１５は、ユーザがキー操作部３で指示した符号化レートを記憶する符号化レート記憶部２１と、受信信号の通信品質を監視する通信品質検出部２３と、当該端末装置内の電圧変化から電池残量を監視する電池残量検出部２５とを備えている。
【００２３】
通信品質検出部２３は、受信信号中の受信信号強度（ＲＳＳＩ）や、誤り検索用ビット（ＣＲＣ）のエラー発生、フレーム誤り率（ＦＥＲ）を監視し、受信信号強度（ＲＳＳＩ）が基準値以下に下がった時、あるいは誤り検索用ビット（ＣＲＣ）のエラー発生やフレーム誤り率（ＦＥＲ）が基準値以上になった時に、通信品質が基準レベル未満に低下したと見なされる。
【００２４】
電池残量検出部２５は、内蔵電池から供給される電圧を検出しており、電圧が予め設定した基準値未満になると、電池残量が基準レベル未満に低減したと判断する。
【００２５】
本実施の形態の場合、制御部１５は、符号化レート記憶部２１に記録されたユーザの希望する符号化レートを尊重しつつ、通信品質検出部２３及び電池残量検出部２５の検出値に基づいて、通信品質が低下しないように、図２に示す符号化レート設定方法で、符号化部１３ａにおける符号化レートの設定を行う。
【００２６】
次に、図２を参照して符号化レート設定方法を説明する。
まず、ユーザがキー操作部３から動作モードが選択指示されると、その動作モード又はその動作モードに対応する符号化レートが符号化レート記憶部２１に記憶される（ステップＳ１１）。
【００２７】
符号化レート記憶部２１の記録データを参照し（ステップＳ１０２）、ユーザの選択指示がない場合には自動切り換えに移行する（ステップＳ１３）。ユーザの選択指示が有る場合には、それぞれの選択指示毎の処理系列に分かれ（ステップＳ１４）、通信品質検出部２３により検出される通信品質が良いか（基準レベル以上か）否かが判定される（ステップＳ１５，Ｓ１６，Ｓ１７）。
【００２８】
そして、ユーザが選択指示した動作モードが、ハーフレートを指定する動作モード（使用エリア拡大モードや使用時間優先モード）の場合、それぞれのステップＳ１５，Ｓ１６において、通信品質が良い（基準レベル以上）と判定された時には符号化部１３ａにおける符号化レートをハーフレートに設定する（ステップＳ１８）。
【００２９】
一方、それぞれのステップＳ１５，Ｓ１６において、通信品質が悪い（基準レベル未満）と判定された時には符号化部１３ａにおける符号化レートをフルレートに設定する（ステップＳ１９）。
【００３０】
ステップＳ１４において、ユーザが選択指示した動作モードがフルレートを指定する動作モード（通信品質優先モード）の場合は、符号化部１３ａにおける符号化レートをフルレートに設定するが、ステップＳ１７において、通信品質が良い（基準レベル以上）と判定された時には、表示部５にハーフレートの選択指示となる使用時間優先モードを選択することが望ましい旨の表示をし（ステップＳ２０）、その後フルレートの設定を行う（ステップＳ１９）。
【００３１】
ステップＳ１２において、ユーザによる動作モードの設定が無い場合は自動切り換えに進む（ステップＳ１３）。電池残量検出部２５が、電池残量が基準レベル以下であると判定し（ステップＳ２１：Ｙｅｓ）、且つ通信品質検出部２３が、通信品質が基準レベル以上と判定した場合（ステップＳ２２：Ｙｅｓ）には、自動的にステップＳ１８に進み、符号化部１３ａにおける符号化レートをハーフレートに設定する。
【００３２】
すなわち、制御部１５は、通信品質検出部２３により受信信号の通信品質を監視し、ユーザがキー操作部３でハーフレートを選択指示している場合に、通信品質検出部２３により検出された通信品質が基準レベル以上の時には、ユーザの選択指示に基づいて符号化部１３ａにおける符号化レートをハーフレートに設定する。一方、通信品質検出部２３により検出された通信品質が基準レベル未満の時には、符号化部１３ａにおける符号化レートをフルレートに設定する。
【００３３】
また、制御部１５は、ユーザがキー操作部３でフルレートを選択指示している場合に、通信品質検出部２３により検出された通信品質が基準レベル以上の時には、ハーフレートの選択が望ましいことを当該端末装置の表示部５によりユーザに通知して、ハーフレートの動作モードの選択を促す。
【００３４】
さらに、制御部１５は、自動切り換えモードの時には、電池残量検出部２５により当該端末装置内の電池残量を監視していて、電池残量が基準レベル未満に低下し、且つ通信品質が基準レベル以上の時には、自動的に符号化部１３ａにおける符号化レートをハーフレートに設定する。また、自動切り換えモードの時に、電池残量が基準レベル以上であれば、符号化部１３ａにおける符号化レートをフルレートに設定するが、その一方で、ハーフレートの選択が望ましいことを当該端末装置の表示部５によりユーザに通知して、ハーフレートの動作モードの選択を促す。
【００３５】
以上に説明した移動通信端末装置１が実施する符号化レート設定方法では、通信品質検出部２３によって通信時に受信信号の通信品質を監視していて、ハンドオーバーやチャネル切断といった通信の接続不良を招く原因となる通信品質の低下時には、ユーザがキー操作部３でハーフレートを選択指示していても、フルレートに切り替えて通信を継続することができる。すなわち、ハーフレートによる通信中に、通信品質の低下によってハンドオーバーやチャネル切断といった通信の接続不良が発生することがない。
【００３６】
したがって、安定した通信を維持しつつ、ユーザの希望に応じたハーフレートによる通信を適宜実施することにより端末装置における消費電力を抑えて、端末に内蔵された電池の動作時間を延長させることができる。
【００３７】
また、上記移動通信端末装置１が実施する符号化レート設定方法では、ユーザがキー操作部３でフルレートを選択指示している場合でも、通信品質が高いときには、ユーザにハーフレートの選択が望ましいことを通知して、ハーフレートの選択を促すため、ユーザがハーフレートを選択指示する機会が増える。これにより結果的に、ハーフレートによる通信時間の比率を増大させて、通信時の省電力化、内蔵電池の動作時間の延長を促進することができる。
【００３８】
また、上記移動通信端末装置１が実施する符号化レート設定方法では、内蔵電池の残量を監視して、電池残量が基準レベル未満となるときには自動的に符号化レートをハーフレートに切り換える自動切り換えモードを搭載しているため、電池残量が少なくなった時には、ユーザがハーフレートを選択指示していなくとも、ハーフレートの選択により消費電力を抑えて、端末に内蔵された電池の動作時間を延長させることができる。
【００３９】
なお、図２に示した符号化レート設定方法では、ユーザが動作モードを選択していないときに、自動切り換えモードになって、電池残量が基準レベル以下になった時に自動的に符号化レートがハーフレートに切り替えられる構成としたが、ユーザが動作モードを選択している場合でも、電池残量が基準レベル以下になった時には自動的に符号化レートをハーフレートに切り替える構成としても良い。
【図面の簡単な説明】
【００４０】
【図１】本発明に係る移動通信端末装置の一実施の形態の概略構成を示すブロック図である。
【図２】図１に示した移動通信端末装置において実施される符号化レート設定方法を示すフローチャートである。
【符号の説明】
【００４１】
１：移動通信端末装置、３：キー操作部、５：表示部、７：入力部、９：出力部、１１：無線部、１３：符号化・復号部、１３ａ：符号化部、１５：制御部、２１：符号化レート記憶部、２３：通信品質検出部、２５：電池残量検出部
【図１】
2009088590.tif 000003
【図２】
2009088590.tif 000004